(57)【特許請求の範囲】
【請求項１】
携帯情報端末装置自体に対する認証情報を記憶する照合情報記憶手段と、
複数の外部機器に対する個々の認証情報を記憶する機器情報記憶手段と、
上記各外部機器からの個々の信号の有無により、当該各外部機器の内で当該携帯情報端末装置の近傍に位置する外部機器を照合対象の外部機器として特定する特定手段と、
上記照合情報記憶手段に記憶された認証情報に基づいて当該携帯情報端末装置自体に対するユーザの認証チェックを行う認証手段と、
上記認証手段での認証チェックで認証許可された場合には、上記特定手段で特定された外部機器に対する認証情報を上記機器情報記憶手段から読み出し、その読み出された認証情報を当該外部機器に対して送信出力する認証情報出力手段と、
を具備することを特徴とする携帯情報端末装置。
【請求項２】
上記特定手段は、上記各外部機器に対するチェック信号を送信し、それに対する応答信号の有無により上記近傍に位置する外部機器の有無をチェックすることを特徴とする請求項１に記載の携帯情報端末装置。
【請求項３】
携帯情報端末装置を構成するコンピュータに、当該携帯情報端末装置自体に対する認証情報を予め記憶する機能と、複数の外部機器に対する個々の認証情報を予め記憶する機能と、上記各外部機器からの個々の信号の有無により、当該各外部機器の内で当該携帯情報端末装置の近傍に位置する外部機器を照合対象の外部機器として特定する機能と、上記予め記憶した認証情報に基づいて当該携帯情報端末装置自体に対するユーザの認証チェックを行う機能と、上記認証チェックで認証許可された場合には、上記特定された外部機器に対する上記予め記憶された認証情報を読み出し、その読み出された認証情報を当該外部機器に対して送信出力する機能と、を実現させるためのプログラムを記録したコンピュータが読み取り可能な記録媒体。
【発明の詳細な説明】
【０００１】
【発明の属する技術分野】
本発明は、ＰＤＡ（personal digital assistant）やデータＰＨＳ等の携帯情報端末装置及びＣＤ−ＲＯＭ等のコンピュータが読み取り可能な記録媒体に係り、特に、携帯情報端末装置の応用、並びにそのような応用をその装置に実行させる命令を含むプログラムを格納した記録媒体に関する。
【０００２】
【従来の技術】
個人が各種機器を使う時は、本人照合を要求される場合がある。
デスクＰＣは勿論、家の入出ロック、車のロック解除、電子マネー使用時等では、今後その需要がますます高くなることが予測される。
【０００３】
【発明が解決しようとする課題】
しかし、各機器毎に照合チェック手順やデータ形式が異なる場合がある為、本人は各機器に対応したチェック内容や手順を覚えておかねばならず、煩雑であり、ミスもしかねなかった。
【０００４】
ところで、近年、手帳からノートぐらいの大きさで、ペン入力による手書き文字の認識が可能なコンピュータであるＰＤＡや、データＰＨＳと称されるデータ処理機能付ＰＨＳ、ノートＰＣさらにはそれよりも小さいミニＰＣ等の各種携帯情報端末装置が普及してきている。そして、これら携帯情報端末装置は、本人照合機能を予め備えている。
【０００５】
従って、この携帯情報端末装置の本人照合機能を、その携帯情報端末装置以外の各種機器での本人照合に利用できれば、煩雑な指示が不要となることは明らかである。
本発明の課題は、携帯情報端末装置を各種機器の本人照合に利用できるようにすることである。
【０００６】
【課題を解決するための手段】
この発明は、携帯情報端末装置自体に対する認証情報を記憶する照合情報記憶手段と、複数の外部機器に対する個々の認証情報を記憶する機器情報記憶手段と、上記各外部機器からの個々の信号の有無により、当該各外部機器の内で当該携帯情報端末装置の近傍に位置する外部機器を照合対象の外部機器として特定する特定手段と、上記照合情報記憶手段に記憶された認証情報に基づいて当該携帯情報端末装置自体に対するユーザの認証チェックを行う認証手段と、上記認証手段での認証チェックで認証許可された場合には、上記特定手段で特定された外部機器に対する認証情報を上記機器情報記憶手段から読み出し、その読み出された認証情報を当該外部機器に対して送信出力する認証出力手段と、を具備することを特徴とする。
【０００９】
【発明の実施の形態】
以下、本発明の一実施の形態を図１の（Ａ）乃至図３の（Ｂ）を参照して説明する。
図１の（Ａ）は、本発明の携帯情報端末装置の一実施の形態にかかる携帯端末１の構成を示す図である。即ち、この携帯端末１は、コンピュータ本体１０、ＩｒＤＡ方式の赤外線等による無線回線２と接続するための通信インターフェース１２、液晶ディスプレィで構成された表示部１４、該表示部１４の表示面上に配されたタッチパネル１６、数値入力用の数値キーボード１８、音声入力（ボイスメモ用）のためのマイクロホン２０、及び音声／音楽再生（ボイス再生用）のためのスピーカ２２から構成される。
【００１０】
この携帯端末１は、基本仕様として、単体として、ＰＩＭ基本機能（カレンダースケジュール、メモ、住所録、等）を持っており、そのためのアプリケーションソフトが、コンピュータ本体１０に内蔵された内部メモリ１０Ａに記憶されている。なお、この内部メモリ１０Ａは、予めアプリケーションソフトを記憶するＲＯＭ以外に、ＲＡＭや、ＥＥＰＲＯＭ等の不揮発性メモリ又はハードディスクによって構成し、通信インタフェース１２を介して与えられる或いは図示しない記録媒体から読み出したアプリケーションソフトを記憶するものであっても良い。
【００１１】
また、この携帯端末１は、詳細は後述するが、所有者からの音声、指紋、パスワード入力等による本人照合機能を有しており、更にその所有者専用の各種機器（ＰＣ、家のドアロック、車ロック）や公共の機器（ＣＤ、店のＩＣカード端末等）に対する夫々の認証情報（パスワード）が予め設定されたテーブルを持っており、対象機器を使用する時に、その携帯端末１に対する本人照合を行なうことでＯＫとなれば、その対象機器に対する認証情報を読み出して上記対象機器に対する認証アクセスを代行する。
【００１２】
そのため、上記内部メモリ１０Ａの不揮発性メモリ又はハードディスクには、図１の（Ｂ）に示すような照合テーブル１０Ａ１と図１の（Ｃ）に示すような機器テーブル１０Ａ２が保存される。即ち、照合テーブル１０Ａ１は、本人照合用の情報として、ユーザが数値キーボード１８を用いて入力した任意の数値データでなる端末パスワードと、同様にマイクロホン２０を用いて入力した任意の音声データでなる端末キーワードとを含む。また、機器テーブル１０Ａ２は、ユーザがタッチパネル１６や数値キーボード１８を使用して任意に設定入力した、各種機器を特定するための機器コード及び登録番号と各機器固有の認証情報（パスワードやチェック手順、データ形式等）とを対応付けて記憶している。
【００１３】
次に、このような構成における動作を説明する。
図２は、上記構成の携帯端末１の動作フローチャートである。このフローチャートに記載した各機能を実現するプログラムは、コンピュータ本体１０が読み取り可能なプログラムコードの形態で内部メモリ１０Ａに記憶されている。
【００１４】
即ち、携帯端末１は、パワーオンされると、まず通常の機能であるＰＩＭ機能（カレンダースケジュール、メモ、住所録、等）を実行するＰＩＭ機能モードに設定される（ステップＳ１０）。このとき、図３の（Ａ）において左上に示すように、表示部１４の表示画面１４Ａには、ＰＩＭ表示がなされる。また、該携帯端末１の動作モードを切り換えるためのモードスイッチ表示（照合，登録等）も表示される。
【００１５】
このＰＩＭ表示において、タッチパネル１６が操作されると、それがモード変更操作であるのかかどうか、つまり、そのタッチ操作位置が上記モードスイッチ表示位置に対応するタッチキー１６Ａ，１６Ｂかどうか判断し（ステップＳ１２）、そうでない場合には、その操作位置に応じた例えばスケジュール入力等の従来と同様のＰＩＭ処理を行った後（ステップＳ１４）、上記ステップＳ１２に戻る。
【００１６】
これに対して、上記ステップＳ１２でモード変更操作がなされたと判断されたときには、次に、それが本人照合モードに変更する操作であるか、つまり、「照合」というモードスイッチ表示に対応する位置のタッチスイッチ１６Ａが操作されたかのかどうか判断する（ステップＳ１６）。そうでない場合には、モード変更操作が本人照合機器登録モードに変更する操作であるか、つまり、「登録」というモードスイッチ表示に対応する位置のタッチスイッチ１６Ｂが操作されたかのかどうか判断する（ステップＳ１８）。そうでない場合には、それに応じた処理（本発明に直接関係ないので、その説明は省略する）を行って（ステップＳ２０）、上記ステップＳ１２に戻る。
【００１７】
これに対して、本人照合機器登録モードに変更する操作がなされた場合には、表示部１４の表示画面に登録用の表示を行って、登録対象機器の機器コード、登録番号、認証情報の設定入力等を行って（ステップＳ２２）、機器テーブル１０Ａ２に設定した後（ステップＳ２４）、上記ステップＳ１２に戻る。勿論、従来通り、別途に、外部機器に対して認証情報を入力設定されているものとする。
【００１８】
また、上記ステップＳ１６において、本人照合モードに変更する操作がなされたと判断された場合には、照合対象機器のチェックを行う（ステップＳ２６）。これは、通信インタフェース１２により内部メモリ１０Ａの機器テーブル１０Ａ２に記憶された機器コードを発信し、応答の有無により当該機器の有無をチェックすることができる。そして、照合対象機器が複数有った場合、例えば図３の（Ｂ）に示すように車３，家のドア４，ＰＣ５の３つ有った場合には（ステップＳ２８）、図３の（Ａ）の右上に示すように、対象機器アイコンを表示する（ステップＳ３０）。
【００１９】
而して、ユーザが所望の機器のアイコン上のタッチキーを操作することでアイコン選択を行ったならば（ステップＳ３２）、あるいは、上記ステップＳ２８で照合対象機器が１つしかないと判断した場合には、次に、図３の（Ａ）の右下に示すように、表示部１４の表示画面１４Ａに、パスワード数値の入力領域とキーワード音声の入力を求めるメッセージを含む照合画面を表示する（ステップＳ３４）。
【００２０】
そして、ユーザが数値キーボード１８によりパスワード数値を入力し（ステップＳ３６）、マイクロホン２０よりキーワード音声を入力すると（ステップＳ３８）、内部メモリ１０Ａの照合テーブル１０Ａ１に記憶されている端末パスワード及び端末キーワードと比較することで、本人照合チェックを行う（ステップＳ４０）。その結果、照合ＯＫでなかった場合には（ステップＳ４２）、スピーカ２２よりＮＧメッセージを音声出力して（ステップＳ４４）、上記ステップＳ１２に戻る。
【００２１】
これに対して、照合ＯＫである場合には（ステップＳ４２）、対象機器対応の認証情報を内部メモリ１０Ａの機器テーブル１０Ａ２より読み出して、通信インタフェース１２により対象機器に送信して（ステップＳ４６）、上記ステップＳ１２に戻る。この場合、上記ステップＳ２８で照合対象機器が１つしかないと判断された場合にはその機器の、また複数有ると判断されたときには上記ステップＳ３２で選択した機器アイコンに相当する機器の機器コードにより、対象機器対応の認証情報を読み出す。
【００２２】
例えば、図３の（Ａ）の右上に示すような表示で、「家ロック」アイコンが選択された場合には、照合ＯＫであれば、ドア４の鍵を開ける指令をドア４に対して無線送信する。このとき、図３の（Ａ）の左下に示すようなメッセージを表示部１４の表示画面１４Ａに表示しても良い。
【００２３】
以上のように、携帯端末１による上記対象機器に対する認証アクセスは、所有者がその対象機器の前で上記携帯端末１に対する本人照合の為の入力を行なうだけで自動的に行なわれるものであり、上記携帯端末１は対象機器が何であるのかを自動識別し、その対象機器に対応する固有の認証情報をその機器に対して送信入力することで認証アクセスを行なう。
【００２４】
また、携帯端末１近傍に複数の対象機器が有るときには、所有者が対象機器を選択する操作（アイコン選択）と上記携帯端末１に対する本人照合の為の入力とを行なうことで、上記選択の対象機器に対応する固有の認証情報を携帯端末１がその機器に対して送信入力し、当該対象機器に対する認証アクセスが行なわれる。
【００２５】
【発明の効果】
本発明によれば、各機器毎に異なる照合チェック機能を携帯情報端末装置が代行するので、携帯情報端末装置所有の本人にあっては、その携帯情報端末装置に対する本人照合のみで各機器に対する本人照合がなされるため、煩雑な指示が不要となる。
【図面の簡単な説明】
【図１】（Ａ）は本発明の一実施の形態にかかる携帯情報端末装置としての携帯端末のブロック構成図であり、（Ｂ）及び（Ｃ）はそれぞれ携帯端末に記憶される照合テーブル及び機器テーブルの構成を示す図である。
【図２】携帯端末の動作フローチャートである。
【図３】（Ａ）は動作を説明するための表示遷移図であり、（Ｂ）は携帯端末と照合対象機器との関係を示す図である。
【符号の説明】
１  携帯端末
２  無線回線
３  車
４  家のドア
５  ＰＣ
１０  コンピュータ本体
１０Ａ  内部メモリ
１０Ａ１  照合テーブル
１０Ａ２  機器テーブル
１２  通信インターフェース
１４  表示部
１４Ａ  表示画面
１６  タッチパネル
１６Ａ，１６Ｂ  タッチスイッチ
１８  数値キーボード
２０  マイクロホン
２２  スピーカ
【図１】
0003879263.tif 000002
【図２】
0003879263.tif 000003
【図３】
0003879263.tif 000004